(57)【要約】【課題】組織標本及び細胞標本中の癌細胞を、偽陰性や偽陽性の発生を可及的に少なくして精度よく検出できる癌細胞の検出方法を提案する。【解決手段】内臓等から採取した組織標本又は体液等から採取した細胞標本を、ホルムアミドを含有する溶液中に浸漬し、前記標本中の癌細胞の細胞核内に存する損傷を有する損傷ＤＮＡを選択的に単鎖ＤＮＡに変性する変性処理を施した後、前記単鎖ＤＮＡに結合可能な鎖長であって、発色処理等の顕在化処理によって観察可能となる標識が配されている標識ＤＮＡを、前記単鎖ＤＮＡに結合する結合処理を施し、次いで、前記単鎖ＤＮＡに結合した標識ＤＮＡの存在を観察して癌細胞を検出できるように、前記顕在化処理を施すことを特徴とする。【選択図】        なし【特許請求の範囲】
【請求項１】
内臓等から採取した組織標本又は体液等から採取した細胞標本を、ホルムアミドを含有する溶液中に浸漬し、前記標本中の癌細胞の細胞核内に存する損傷を有する損傷ＤＮＡを選択的に単鎖ＤＮＡに変性する変性処理を施した後、
前記単鎖ＤＮＡに結合可能な鎖長であって、発色処理等の顕在化処理によって観察可能となる標識が配されている標識ＤＮＡを、前記単鎖ＤＮＡに結合する結合処理を施し、
次いで、前記単鎖ＤＮＡに結合した標識ＤＮＡの存在を観察して癌細胞を検出できるように、前記顕在化処理を施すことを特徴とする癌細胞の検出方法。
【請求項２】
変性処理を、ホルムアミドを含有する溶液を加温しつつ施す請求項１記載の癌細胞の検出方法。
【請求項３】
組織標本又は細胞標本に変性処理を施した直後に、前記標本を急冷する請求項１又は請求項２記載の癌細胞の検出方法。
【請求項４】
顕在化処理として、発色処理又は蛍光発生処理を採用し、且つ標識ＤＮＡとして、前記発色処理により発色し或いは蛍光発生処理により蛍光を発する複合体を形成し得る化合物が標識として配されている標識ＤＮＡを用いる請求項１〜３のいずれか一項記載の癌細胞の検出方法。
【請求項５】
標識ＤＮＡとして、ヒト由来であって、鎖長が５００〜２０００ｂｐの標識ＤＮＡを用いる請求項１〜４のいずれか一項記載の癌細胞の検出方法。
【請求項６】
細胞標本を、ホルマリンによる固定処理を施した後、ホルムアミド含有溶液中に浸漬して変性処理を施す請求項１〜５のいずれか一項記載の癌細胞の検出方法。
【請求項７】
細胞標本中の単鎖ＤＮＡに標識ＤＮＡを結合する結合処理の際に、前記標本をマイクロ波による加熱処理を施す請求項６記載の癌細胞の検出方法。
【請求項８】
単鎖ＤＮＡに結合した標識ＤＮＡに発色処理等の顕在化処理を施して観察可能とした後、組織標本又は細胞標本の形態学的な観察を可能とするように、前記標本に対比染色を施す請求項１〜７のいずれか一項記載の癌細胞の検出方法。
【発明の詳細な説明】
【０００１】
【発明の属する技術分野】
本発明は癌細胞の検出方法に関し、更に詳細には、癌細胞のスクリーニングや癌の病理診断等に用いることができる癌細胞の検出方法に関する。
【０００２】
【従来の技術】
癌は、細胞内の遺伝子が正常な遺伝子から大きく変化していることは周知のことである。
つまり、癌細胞では、遺伝子である細胞核内のＤＮＡが、正常細胞の細胞核内のＤＮＡから大きく変化している。この変化は、例えば▲１▼ＤＮＡ塩基への化学的修飾や発癌物質の付加や挿入による塩基の変化と、電磁波や活性酸素等の物理化学的な要因によるＤＮＡ鎖切断とに対する不完全な修復による塩基配列、すなわち遺伝暗号の変化、▲２▼対立遺伝子双方の欠落等のある遺伝子領域の欠失、▲３▼癌発生に関る遺伝子領域の重複、▲４▼染色体、或いは染色体の一部の重複、欠落、転座組み換え等に因るものである。
この様に、ＤＮＡが損傷を受けて変化した癌細胞では、細胞内のＤＮＡが全域に渡り不安定化し、ＤＮＡとその情報によって産生される蛋白質の異常を含めた機能的、構造的な異常がみられる。このため、癌細胞では、染色体異常を伴い、細胞増殖能の亢進、細胞周期と細胞分裂の異常、アポトーシスの回避、及び細胞分化の異常などがみられる。
従って、癌細胞が存在することを早期に知るために、かかるＤＮＡの異常や損傷を検出する簡便な方法が強く望まれている。
【０００３】
一方、従来からも、日常的な臨床診断である病理組織学診断、細胞学的検査及び診断（細胞診）においても、癌の早期発見のために、癌細胞や癌組織の検出、更には境界病変の明確化の努力が払われている。
しかし、従来の癌細胞や癌組織の検出は、専ら正常細胞からの形態的偏奇を指標として行われているものであって、その検出精度は検出者の経験等によって著しく異なることがあった。
このため、検出者の経験等によらず確実に癌細胞を同定できる癌細胞や癌組織の検出方法が望まれている。
かかる要望に応えるべく、本発明者は、先に、下記の特許文献１及び特許文献２によって、癌細胞や癌組織を確実に検出できる癌細胞の検出方法を提案した。
【０００４】
【特許文献１】
特開昭６２−８０５３号公報（特許請求の範囲）
【特許文献２】
特開平７−３０６２０２号公報（特許請求の範囲）
【０００５】
上記特許文献１で提案した癌細胞の検出方法は、癌細胞中の損傷を有する損傷ＤＮＡが正常なＤＮＡよりも酸に加水分解されて単鎖化され易く不安定であることを利用し、体液等から採取した細胞標本を塩酸等の酸を用いて細胞標本中の癌細胞に存する損傷を有する損傷ＤＮＡを加水分解し、次いで、この加水分解物を所定の色素で染色して観測可能として、癌細胞を検出する方法である。
また、上記特許文献２で提案したＤＮＡの損傷検出方法は、内臓等から採取した組織標本を塩酸等の酸を用いて組織標本中の癌細胞に存する損傷を有する損傷ＤＮＡを選択的に加水分解して単鎖ＤＮＡを生成し、次いで、生成した単鎖ＤＮＡを認識して結合するモノクローナル抗体で処理した後、この抗体結合の有無について、二次抗体に結合させた酵素とＤＡＢ等の色素原性物質を用いた発色処理によって観察可能として、癌細胞を検出する方法である。
【０００６】
【発明が解決しようとする課題】
前述した特許文献１及び特許文献２で提案した検査方法によれば、標本中の癌細胞を検出できる。
しかし、その後の本発明者による検討によれは、特許文献１及び特許文献２の検査方法では、正常ＤＮＡでも損傷ＤＮＡとされる偽陽性や損傷ＤＮＡでも正常ＤＮＡとされる偽陰性が発生する場合があることが判明した。
また、特許文献１の検査方法は、体液等から採取した細胞標本に対して適用されるものであり、特許文献２の検査方法は、内臓等から採取した組織標本に適用されるものである。
従って、組織標本及び細胞標本の両方について、癌細胞に存する損傷ＤＮＡを検出可能として、偽陰性や偽陽性の発生を可及的に少なくして精度よく癌細胞を検出できる癌細胞の検出方法については未だ提案されていない。
そこで、本発明の課題は、組織標本及び細胞標本中の癌細胞を、偽陰性や偽陽性の発生を可及的に少なくして精度よく検出できる癌細胞の検出方法を提案することにある。
【０００７】
【課題を解決するための手段】
本発明者は、先に提案した特許文献１の癌細胞の検出方法を、組織標本に適用すると、標本作製過程で生じるＤＮＡの僅かな変化に、蛍光色素が過敏に反応するため、細胞組織の全体が色素に染まる偽陽性を生じるものと考えた。
また、特許文献２の癌細胞の検出方法では、標本の前処理での固定が不充分である場合、塩酸等の酸によって、損傷ＤＮＡ自身が破壊されて消失することに因り偽陰性を生じさせ易く、同時に正常ＤＮＡも二次的に損傷を受けることに因り偽陽性を生じさせ易いものと考えた。
このため、前記課題を達成するには、酸加水分解よりもマイルドな条件下で癌細胞に存する損傷ＤＮＡを選択的に単鎖ＤＮＡとすることが有利であると考え検討した結果、ホルムアミド含有溶液に標本を浸漬し、通常よりもマイルドな条件で変性処理することによって、偽陰性や偽陽性の発生を少なくできることを見出し、本発明に到達した。
すなわち、本発明は、内臓等から採取した組織標本又は体液等から採取した細胞標本を、ホルムアミドを含有する溶液中に浸漬し、前記標本中の癌細胞の細胞核に存する損傷を有する損傷ＤＮＡを選択的に単鎖ＤＮＡに変性する変性処理を施した後、前記単鎖ＤＮＡに結合可能な鎖長であって、発色処理等の顕在化処理によって観察可能となる標識が配されている標識ＤＮＡを、前記単鎖ＤＮＡに結合する結合処理を施し、次いで、前記単鎖ＤＮＡに結合した標識ＤＮＡの存在を観察して癌細胞を検出できるように、前記顕在化処理を施すことを特徴とする癌細胞の検出方法にある。
【０００８】
かかる本発明において、変性処理を、ホルムアミドを含有する溶液を加温しつつ施すことによって、癌細胞に存する損傷ＤＮＡを短時間で損失なく単鎖ＤＮＡとすることができる。
この様な変性処理を組織標本又は細胞標本に施した直後に、前記標本を急冷することにより、単鎖ＤＮＡの状態を保持できる。
更に、顕在化処理として、発色処理又は蛍光発生処理を採用し、且つ標識ＤＮＡとして、前記発色処理により発色し或いは蛍光発生処理により蛍光を発する複合体を形成し得る化合物が標識として配されている標識ＤＮＡを用いることができ、ヒト由来であって、鎖長が５００〜２０００ｂｐのＤＮＡを好適に用いることができる。
標本として細胞標本を用いる場合には、細胞標本にホルマリンによる固定処理を施し、細胞核ＤＮＡを充分に固定した後、ホルムアミド含有溶液中に浸漬して変性処理を施すことが好ましい。
かかる細胞標本中の単鎖ＤＮＡに標識ＤＮＡを結合する結合処理の際に、前記標本をマイクロ波による加熱処理を施すことによって、標識ＤＮＡの細胞内への浸透性を向上できる。
尚、単鎖ＤＮＡに結合した標識ＤＮＡに所定の発色処理或いは蛍光発生処理を施した後、前記標本に細胞質染色を施すことによって、組織標本又は細胞標本の形態学的な観察も、損傷ＤＮＡの検出と併せてできる。
【０００９】
本発明に係る癌細胞の検出方法によれば、癌細胞に存する損傷ＤＮＡを単鎖ＤＮＡに変性する際に、従来の酸加水分解よりも正常ＤＮＡの損傷や損傷ＤＮＡの破壊が惹起され難いホルムアミド含有溶液に標本を浸漬し、損傷ＤＮＡを単鎖ＤＮＡに変性する変性処理を行う。
かかるホルムアミド含有溶液を用いたＤＮＡの単鎖化処理は、従来の酸加水分解によるＤＮＡの単鎖化処理に比較して、マイルドなＤＮＡの単鎖化処理であるが、癌細胞の細胞核内に存する損傷ＤＮＡは、正常ＤＮＡよりも容易に単鎖化され易い。このため、従来の酸加水分解に比較してマイルドな単鎖化処理である、ホルムアミド含有溶液を用いたＤＮＡの単鎖化処理によって、癌細胞の細胞核内に存する損傷ＤＮＡを選択的に単鎖化できるのである。
この変性処理で選択的に単鎖化された損傷ＤＮＡには、単鎖ＤＮＡに結合可能な鎖長であって、発色処理等の顕在化処理によって観察可能となる標識が配されている標識ＤＮＡを結合する。
一般的に、癌細胞の細胞核内に存する損傷ＤＮＡの単鎖化された長さは、正常ＤＮＡ中の部分的に単鎖化された長さに比較して長く、癌細胞の細胞核内に侵入した標識ＤＮＡと強固に結合する。
この様に、本発明では、従来の酸加水分解によるＤＮＡの単鎖化処理に比較してマイルドなホルムアミド含有溶液を用いたＤＮＡの単鎖化処理を採用したことと、単鎖化された損傷ＤＮＡに標識ＤＮＡを結合させることとが相俟って、ＤＮＡの単鎖化処理において、例え正常ＤＮＡが二次的に微小な損傷を受けても、この損傷に起因する偽陽性や、癌細胞の細胞核内に存する損傷ＤＮＡの破壊に起因する偽陰性を減少できる。
更に、本発明では、損傷ＤＮＡに結合した標識ＤＮＡに所定の顕在化処理を施すことによって、ＤＮＡに結合している標識ＤＮＡを観察でき、損傷ＤＮＡが頻発している癌細胞や組織中の癌細胞集団を検出できる。
【００１０】
【発明の実施の形態】
本発明において用いる標本としては、内臓等から採取した組織標本又は体液等から採取した細胞標本を用いることができる。
かかる標本のうち、組織標本は、通常、標本がスライドガラス上に伸展貼着されたスライドガラス組織標本として提供される。
このスライドガラス組織標本を作る際には、内臓等から採取した検体を、先ず、ホルマリン溶液中に浸漬して固定した後、含水率を段階的に順次低下させたエチルアルコール等の親水性溶液群に順次浸漬する。更に、エチルアルコール等の親水性溶液が１００％の溶液に浸漬した検体を、キシレン等の疎水性溶液に浸漬して組織内部を疎水性溶液に置換し、次いで組織内部にパラフィンを浸透した検体をミクロトーム等の切断器によって切断して、得られた薄切片をスライドガラス上に伸展貼着する。
かかるスライドガラス組織標本は、その組織内部にパラフィンが含浸されて疎水状態となっているため、スライドガラス組織標本の作製の手順とは逆の手順によって、組織内部を親水性溶液に置換する。具体的には、スライドガラス組織標本を、キシレン等の疎水性溶液に浸漬した後、含水率を段階的に順次上昇させたエチルアルコール等の親水性溶液群に順次浸漬し、次いで、組織内部が親水性溶液に置換されたスライドガラス組織標本を、蒸留水中に置いて組織内部を水に置換する。
【００１１】
組織内部を水に置換したスライドガラス組織標本には、各種生体内物質が含有されているため、癌細胞に存する損傷ＤＮＡの検出を妨げる生体内物質を除去する処理を施す。例えば、内在性ペルオキシダーゼ処理を行う際には、スライドガラス組織標本を、過酸化水素水の含有量が１％となるように調整されたメタノール中に浸漬し、内在性ビオチン処理を行う際には、スライドガラス組織標本を、プロティナーゼＫを含有する溶液に浸漬する。
尚、かかる処理を行ったスライドガラス組織標本は、リン酸緩衝食塩水（ＰＢＳ）中に浸漬しておく。
【００１２】
この様に、標本組織内が水に置換され且つ残存酵素の処理が施されたスライドガラス組織標本には、ホルムアミドを含有する溶液中に浸漬し、スライドガラス組織標本中の癌細胞の細胞核内に存する損傷を有する損傷ＤＮＡを選択的に単鎖ＤＮＡに変性する変性処理を施す。
ここで、用いるホルムアミドを含有する溶液としては、ホルムアミドの他に、標準クエン酸溶液（塩化ナトリウム及びクエン酸ナトリウムを含有する溶液）を含有する溶液を好適に用いることができる。
この変性処理では、６０℃程度に加温されたホルムアミド含有溶液に、スライドガラス組織標本を１０分程度浸漬することで行うことができる。
ここで、この変性処理の温度を、ホルムアミド含有溶液を用いた通常の変性処理の温度である７０℃以上とすると、正常ＤＮＡの損傷や損傷ＤＮＡの破壊が惹起され易い。
かかる変性処理を施したスライドガラス組織標本は、−２０℃以下に冷却したエチルアルコール含有水溶液中に１０分程度浸漬して急速冷却を施す。この冷却処理によって、ホルムアミド含有溶液に浸漬して単鎖化した単鎖ＤＮＡを、その状態で保持できる。
更に、この冷却処理を施したスライドガラス組織標本を、４℃程度に保持されたリン酸緩衝食塩水（ＰＢＳ）中に１０分程度浸漬する。
【００１３】
次いで、スライドガラス組織標本中の癌細胞の細胞核内に存する損傷ＤＮＡを選択的に単鎖化した単鎖ＤＮＡに、この単鎖ＤＮＡに結合可能な鎖長であって、発色処理等の顕在化処理によって観察可能となる標識が配されている標識ＤＮＡを結合する結合処理（ハイブリダイゼーション）を施す。
かかる標識ＤＮＡとしては、顕在化処理として、発色処理又は蛍光発生処理を採用したとき、発色処理により発色し或いは蛍光発生処理により蛍光を発する複合体を形成し得る化合物が標識として配されている標識ＤＮＡを用いることができる。この標識ＤＮＡとしては、ヒト由来であって、鎖長が５００〜２０００ｂｐのＤＮＡを用いることによって、単鎖化処理の際に、例え正常ＤＮＡに微小な単鎖化部分が形成されていても、標識ＤＮＡとの結合は生じない。
かかる標識ＤＮＡとしては、例えばビオチン（Ｂｉｏｔｉｎ）標識ＤＮＡ、ジゴキシゲニン（Ｄｉｇｏｘｉｇｅｎｉｎ）標識ＤＮＡ、フルオレセイン（Ｆｌｕｏｒｅｓｃｅｉｎ）標識ＤＮＡを挙げることができる。
標識ＤＮＡは、標識ＤＮＡが含有されている溶液を７３℃程度に加熱して１０分間保持した後、直ちに氷によって急冷して単鎖化する。
単鎖化された標識ＤＮＡ含有溶液とホルムアミド含有溶液とを混合して得たハイブリダイゼーション溶液を、スライドガラス上の標本に滴下する。この滴下量は、標本の大きさに応じて調整する。
かかるハイブリダイゼーション溶液としては、ホルムアミドの含有量が２５％で且つデキストランの含有量が４％程度のものを好適に用いることができる。かかるホルムアミド及びデキストランの含有量は、市販のハイブリダイゼーション溶液（ホルムアミド；５０％、デキストラン；１０％）に比較して少量である。
ここで、市販のハイブリダイゼーション溶液を用いてハイブリダイゼーション反を行うと、正常ＤＮＡも単鎖化され易い。
【００１４】
スライドガラス上の標本に滴下した所定量のハイブリダイゼーション溶液の液滴は、気泡を除去すると共に、溶液の蒸発を防止する蒸発防止処理を施す。この蒸発防止処理は、標本上に滴下したハイブリダイゼーション溶液の液滴をパラフィルムやカバーガラスで覆うことによって達成できる。ハイブリダイゼーション溶液の液滴をカバーガラスで覆う場合には、カバーガラスの周縁を接着することが好ましい。
ハイブリダイゼーション溶液の液滴に蒸発防止処理が施された標本は、所定温度に保持してＤＮＡに標識ＤＮＡが付加するハイブリダイゼーション反応を促進する。このハイブリダイゼーション反応は、保湿された雰囲気内、例えは湿潤箱内で反応時間を１時間〜一晩程度とすることが好ましい。
【００１５】
ハイブリダイゼーション反応が終了したスライドガラス組織標本は、未反応の標識ＤＮＡやＤＮＡに不完全な状態で付加された標識ＤＮＡを除去すべく、洗浄溶液に浸漬して洗浄を施す。
かかる洗浄によって、単鎖ＤＮＡに変性する変性処理において、例え正常ＤＮＡに小さな変性部位が形成されたとしても、この変性部位に付加された標識ＤＮＡは強固に結合されておらず、容易に除去できる。
この洗浄には、ハイブリダイゼーション反応が終了した直後にスライドガラス組織標本を洗浄する第１次洗浄と、第１次洗浄溶液で洗浄したスライドガラス組織標本を更に洗浄する第２次洗浄とがあり、洗浄溶液としては、第１次洗浄には、ホルムアミド及び標準クエン酸溶液を含有する洗浄溶液を用い、第２次洗浄には、
標準クエン酸溶液を含有する洗浄溶液（ホルムアミド非含有）を用いる。
尚、洗浄が終了したスライドガラス組織標本は、リン酸緩衝食塩水（ＰＢＳ）中に浸漬される。
【００１６】
洗浄処理が終了したスライドガラス組織標本には、単鎖ＤＮＡに結合した標識ＤＮＡの存在を観察できるように、所定の顕在化処理を施す。
ここで、例えば、標識ＤＮＡとして、ビオチン標識ＤＮＡを用いた場合、顕在化処理としての発色処理を施す際には、一次抗体としての抗ビオチン抗体を含有する溶液をスライドガラス組織標本に滴下し、ビオチン標識ＤＮＡの標識としてのビオチンに、一次抗体としての抗ビオチン抗体を反応させる。この反応が終了した後、スライドガラス組織標本をリン酸緩衝食塩水（ＰＢＳ）で溶液を洗浄する。
更に、スライドガラス組織標本のビオチン標識ＤＮＡのビオチンに一次抗体として結合した抗ビオチン抗体には、抗ビオチン抗体と反応する二次抗体とペルオキシダーセとが結合した複合体を反応させた後、スライドガラス組織標本をリン酸緩衝食塩水（ＰＢＳ）で溶液を洗浄する。
その後、スライドガラス組織標本を、コバルト化合物、ジアノベンチジン及び過酸化水素を含有する溶液に浸漬することによって、ペルオキシダーセが結合したビオチン標識ＤＮＡの結合した部位は黒色に発色する。このため、単鎖ＤＮＡに結合した標識ＤＮＡの存在を観察できる。
【００１７】
かかる一連の発色処理では、スライドガラス組織標本中の癌細胞の細胞核内に存する損傷ＤＮＡを有する細胞核のみが染色されるため、細胞の輪郭や細胞内を明確にして組織及び細胞を観察し易くすべく、スライドガラス組織標本に対比染色を施す。かかる対比染色は、公知の組織標本の染色を採用できる。
更に、対比染色を施したスライドガラス組織標本を脱水し、カバーガラス封入する。かかるスライドガラス組織標本の脱水は、含水率を段階的に順次低下させたエチルアルコール等の親水性溶液群に順次浸漬した後、エチルアルコール等の親水性溶液が１００％の溶液に浸漬した組織標本を、キシレン等の疎水性溶液に浸漬することによって行うことができる。最終的には、脱水された標本は、スライドガラス上に載置されて封入剤が滴下された後、封入剤ごとカバーガラスによって封入される。
【００１８】
以上の説明では、洗浄処理が終了したスライドガラス組織標本に、標識ＤＮＡに反応させた一次抗体に、一次抗体と反応する二次抗体とペルオキシダーセとを結合させた複合体を反応させる処理を行っているが、標識ＤＮＡに反応させた一次抗体に、別途形成しておいた、一次抗体に対するビチオンを結合した二次的なビチオン結合抗体を反応させた後、スライドガラス組織標本をリン酸緩衝食塩水（ＰＢＳ）で溶液を洗浄し、次いで、ペルオキシダーセとアビジンとの複合体を反応させてもよい。その後、スライドガラス組織標本を、コバルト化合物、ジアノベンチジン及び過酸化水素を含有する溶液に浸漬することによって、ペルオキシダーセとアビジンとの複合体が結合したビオチン標識ＤＮＡの結合した部位は黒色に発色する。
また、二次抗体として蛍光体が付加された抗体を、標識ＤＮＡの抗原に結合させる蛍光発生処理を施してもよい。かかる蛍光体が付加された抗体が結合された標識ＤＮＡの存在を蛍光体の蛍光で観察できる。
尚、一次抗体として、蛍光体を具備する一次抗体を用いてもよく、この場合は、二次抗体を反応させることは要しない。
【００１９】
これまでの説明は、内臓等から採取した組織標本について行ってきたが、本発明では体液等から採取した細胞標本も用いることができる。
かかる細胞標本は、体液等から採取された検体を、スライドガラス上に塗布してスライドガラス細胞標本とする。
得られたスライドガラス細胞標本を、ホルマリン溶液中に浸漬し、細胞標本中のＤＮＡ等を充分に固定すると共に、核酸検出を妨害する分解酵素を失活する。
ホルマリン溶液から取り出したスライドガラス細胞標本は、リン酸緩衝食塩水（ＰＢＳ）に浸漬して洗浄した後、組織標本の場合と同様に、内在性ペルオキシダーゼ処理を施す。
次いで、スライドガラス細胞標本を、組織標本と同様に、ホルムアミドを含有する溶液中に浸漬し、スライドガラス細胞標本中の癌細胞の細胞核内に存する損傷を有する損傷ＤＮＡを選択的に単鎖ＤＮＡに変性する変性処理を施した後、急速冷却を施す。
更に、変性処理を施したスライドガラス細胞標本には、組織標本と同様に、ハイブリダイゼーション溶液を滴下し、ハイブリダイゼーション反応をさせる。
ここで、ハイブリダイゼーション溶液をスライドガラス細胞標本に滴下した際に、マイクロ波を照射して加熱処理を施すことが好ましい。かかるマイクロ波の照射による加熱処理によって、標識ＤＮＡの細胞内への浸透性を促進しているものと推察される。
このマイクロ波の照射は、出力２００Ｗ程度の電子レンジで行うことができ、間欠的にマイクロ波を照射することが好ましい。
【００２０】
ハイブリダイゼーション反応が終了したスライドガラス細胞標本は、スライドガラス組織標本と同様に、ハイブリダイゼーション溶液を洗浄した後、標識ＤＮＡに一次抗体を反応させた後、一次抗体と反応する二次抗体とペルオキシダーセとを結合させた複合体を反応し、次いで、発色処理を施すことによって黒色に発色する。このため、単鎖ＤＮＡに結合した標識ＤＮＡの存在を観察できる。
その後、スライドガラス細胞標本は、スライドガラス組織標本と同様に、対比染色を施した後、脱水して最終的にはキシレン等の疎水性溶液に浸漬して標本内部を疎水性とし、次いで、滴下した封入剤ごとカバーガラスによって封入される。
【００２１】
以上の説明は、内臓等から採取した検体を用いて標本にしていたが、既にヘマトキシリンエオジン染色やパパニコロウ染色し、封入剤ごとカバーガラスによって封入されている標本に対しても、本発明を適用できる。
先ず、封入剤ごとカバーガラスによって封入されている標本を、加温キシレン中に、封入剤が溶出するまで浸漬し、カバーガラスを剥離する。
封入剤及びカバーガラスが剥離されて露出した標本は、その標本の表面及び内部に封入剤やキシレン等が含浸されて疎水状態となっていると共に、細胞核が色素で染色されている。このため、キシレン等の疎水性溶液に浸漬した標本を、含水率を段階的に順次上昇させたエチルアルコール等の親水性溶液群に順次浸漬した後、酸性のアルコール溶液中に浸漬して細胞核の色素を脱色する。
次いで、水洗した標本を、含水アルコールから純アルコールに、含水率の比率を順次変更しつつ浸漬した後、簡易的な固定処理を施す、
この様に、内部が親水性に戻り細胞核が脱色された標本は、前述したスライドガラス組織標本やスライドガラス細胞標本と同様に、ホルムアミドを含有する溶液中に浸漬し、標本中の癌細胞の細胞核内に存する損傷を有する損傷ＤＮＡを選択的に単鎖ＤＮＡに変性する変性処理を施した後、この単鎖ＤＮＡに、発色処理等の顕在化処理によって観察可能となる標識が配されている標識ＤＮＡを結合する結合処理を施し、次いで、単鎖ＤＮＡに結合した標識ＤＮＡの存在を観察できるように、発色処理等の顕在化処理を施す。
【００２２】
【実施例】
以下、実施例によって本発明を更に詳細に説明する。
実施例１
（１）ビオチン標識ＤＮＡの調整
▲１▼ＤＮＡの抽出
手術或いは病理解剖で切除された組織を液体窒素で凍結して細片化し、プロティナーゼＫ溶液を加えて５０℃で保持しつつ、Ｔｒｉｓ平衡化フェノールを加えて混合し、遠心分離して水層を分離する。分離した水層に、エチルアルコールを加えてＤＮＡを析出する。析出したＤＮＡの溶液中の濃度を、分光光度計等を用いて測定しておく。
▲２▼ニックトランスレーション法による標識の導入
析出したＤＮＡの濃度を、５０ｎｇ／μｌに調整した溶液を、ｄＡＴＰ、ｄＧＴＰ、ｄＣＴＰ、ビオチン化ｄＵＴＰを含み、且つ５０ｍＭ  ＭｇＣｌ２、０．５ｍｇ／ｍｌ  ＢＳＡを含む０．５Ｍ  Ｔｒｉｓバッファー溶液に溶解する。
更に、ＤＮＡポリメラーゼＩとＤＮＡａｓｅＩとを加え、溶液を１５℃に１２０分間保持することによって、二本鎖ＤＮＡの置換反応を行う。所定時間経過後に、溶液を７０℃に１０分間保持することによって、置換反応を停止する。
▲３▼精製
置換反応した反応液を、ポリアクリルアミド製のゲル濾過スピンカラムによって濾過し、酵素や残留物等を除去する。
得られた濾液中には、生成されたビオチン標識ＤＮＡが含まれており、その分子量について、アガロースゲルによる電気泳動によって測定したところ５００〜２０００ｂｐであった。
尚、得られたビオチン標識ＤＮＡは、−８０℃程度に凍結して保存可能である。
（２）スライドガラス組織標本の作製
癌患者から摘出して病理検査室に提出された子宮頚部の臨床的生体検査検体（以下、検体と称することがある）を、ホルマリン溶液中に数時間〜１昼夜浸漬した後、含水率を段階的に低下させたエチルアルコール水溶液群に順次浸漬して、組織内部がエチルアルコールに置換された検体をキシレンに浸漬する。
次いで、キシレンに置換された検体内にパラフィンを浸透した後、ミクロトームによって薄切した切片をスライドガラス上に伸展貼着する。
かかるスライドガラス組織標本（以下、組織標本と称する）は、その組織内部にパラフィンが含浸されているため、組織標本の作製の手順とは逆の手順によって、組織内部をエチルアルコールに置換する。具体的には、組織標本を、キシレンに浸漬した後、含水率を段階的に上昇させたエチルアルコール水溶液群に順次浸漬し、次いで、組織内部がエチルアルコールに置換されたスライドガラス組織標本を、蒸留水中に置いて組織内部を水に置換する。
【００２３】
（３）ホルムアミド変性
▲１▼前処理
内部組織が水に置換されたスライドガラス組織標本を、過酸化水素水２ｍｌを含むメチルアルコール溶液２００ｍｌに、室温で１５分間浸漬し、内在的ペルオキシダーゼの阻止処理を施した後、プロティナーゼＫが１０μｇ／ｍｌとなるように調整した、１０ｍＭ  Ｔｒｉｓ−ＨＣｌ、１０ｍＭ  ＥＤＴＡ、１％ＳＤＳを含む３７℃のバッファー溶液に２０分間浸漬し、内在性ビオチンの除去処理を行った後、リン酸緩衝食塩水（ＰＢＳ）に浸漬する。
▲２▼変性処理
前処理が施された組織標本を、ホルムアミド含有溶液中に浸漬し、組織標本中の損傷ＤＮＡを選択的に単鎖化させる変性処理を施す。
ここで、用いるホルムアミド含有溶液としては、ホルムアミドの含有量が７０％となるように調整した標準クエン酸溶液（２×ＳＳＣ；０．３Ｍ塩化ナトリウム、０．０３Ｍクエン酸ナトリウム）を用いた。
この変性処理では、６０℃に加温されたホルムアミド含有溶液に、組織標本を浸漬して１０分間保持した。
かかる変性処理を施した組織標本を、−２０℃に冷却したエチルアルコールを７０％含有する水溶液中に１０分間保持して急速冷却を施した後、４℃に保持されたリン酸緩衝食塩水（ＰＢＳ）中に１０分程度浸漬した。
【００２４】
（４）ハイブリダイゼーション
▲１▼ハイブリダイゼーション溶液の調整
予め準備したビオチン標識ＤＮＡを含有する溶液を、７３℃で１０分間保持した後、直ちに氷によって急冷する。この加熱冷却処理によって、ビオチン標識ＤＮＡを単鎖化できる。
かかる単鎖化されたビオチン標識ＤＮＡを含有する溶液１０μｌと、ホルムアミドを約２０％含有するハイブリダイゼーションバッファー９０μｌとを混合してハイブリダイゼーション溶液を調整する。
このハイブリダイゼーションバッファー９０μｌは、２０×ＳＳＣＰ（３Ｍ塩化ナトリウム、０．３Ｍクエン酸ナトリウム、０．４Ｍリン酸二ナトリウムを含むｐＨ６．０の緩衝液）４０μｌ、キャリアＤＮＡ（サケ精子ＤＮＡを１０μｇ／ｍｌ含有）２μｌ、５０倍希釈ｄｅｎｈａｒｔ液（ウシ血清アルブミン５ｇ、Ｆｉｃｏｌｌ４００    ５ｇ、ポリビニルピロリドン５ｇを５００ｍｌの水溶液とし、この水溶液を１／５０に希釈）４μｌ及び１０％デキストラン硫酸を含む４５％ホルムアミド溶液４４μｌから成る。
▲２▼ハイブリダイゼーション反応
調整したハイブリダイゼーション溶液の１００μｌを組織標本上に滴下した後、滴下した液滴にパラフィルムを被せて、液滴から気泡を除去すると共に、溶液の蒸発防止を図る。
更に、ハイブリダイゼーション溶液が液滴され且つハイブリダイゼーション溶液の液滴に蒸発防止のパラフィルムで覆った組織標本を、密閉容器内に載置して３７℃に保持し、ビオチン標識ＤＮＡと組織標本のＤＮＡとのハイブリダイゼーション反応を行った。かかるハイブリダイゼーション反応は、１８時間行った。
このハイブリダイゼーション反応の際に、密着容器内に、ホルムアミドを７０％含有する標準クエン酸溶液（２×ＳＳＣ；０．３Ｍ塩化ナトリウム、０．０３Ｍクエン酸ナトリウム）を、組織標本と共に載置し、密閉容器内を保湿した。
次いで、ハイブリダイゼーション反応が終了した後、パラフィルムを除去した組織標本を、３７℃に保温したホルムアミドを５０％含有する標準クエン酸溶液（２×ＳＳＣ；０．３Ｍ塩化ナトリウム、０．０３Ｍクエン酸ナトリウム）に１５分間浸漬して洗浄した後、標準クエン酸溶液（２×ＳＳＣ；０．３Ｍ塩化ナトリウム、０．０３Ｍクエン酸ナトリウム）に１５分間浸漬して洗浄した。
更に、組織標本を、標準クエン酸液（１×ＳＳＣ；０．１５Ｍ塩化ナトリウム、０．０１５Ｍクエン酸ナトリウム）に１５分間浸漬して洗浄した後、リン酸緩衝食塩水（ＰＢＳ）に浸漬した。
【００２５】
（５）発色工程
一次抗体として、市販されている抗ビオチンモノクローナル抗体含有溶液を、１００培に希釈して組織標本に滴下し、３７℃で１時間保持して、組織標本中の癌細胞の細胞核内に存する単鎖化されたＤＮＡとハイブリダイゼーションしているビオチン標識ＤＮＡのビチオンと抗原抗体反応させた。反応終了後に、組織標本をリン酸緩衝食塩水（ＰＢＳ）に浸漬して洗浄した。
更に、抗ビオチン抗体と反応する二次抗体とペルオキシダーセとがデキストランポリマーに結合した複合体を含有するデキストランポリマー試薬（ＤＡＫＯ社製、「ＥＮＶＩＳＩＯＮ＋」）を、組織標本を覆うように滴下し、室温で３０分間反応させた後、スライドガラス組織標本をリン酸緩衝食塩水（ＰＢＳ）で溶液を洗浄した。
その後、組織標本を、コバルト−ＤＡＢ溶液中に浸漬し、室温で１０分間反応させて、組織標本のＤＮＡに結合しているビオチン標識ＤＮＡと結合しているペルオキシダーゼによりコバルト−ＤＡＢを黒色に発色させた後、水洗した。
このコバルト−ＤＡＢ溶液は、１％塩化コバルト溶液１ｍｌを加えた、１０ｍＭ  Ｔｒｉｓ−ＨＣｌバッファー（ｐＨ７．４）１００ｍｌに、１０ｍｇのＤＡＢ（ジアノベンチジン）を溶解させた溶液であって、組織標本を浸漬してから数分後に３０％過酸化水素水１０μｌを加えた。
（６）染色等
組織標本を、Ｋｅｒｎｅｃｈｔｒｏｔ染色液（Ｋｅｒｅｃｈｔｒｏｔ  ０．１ｇと硫酸アルミニウム５ｇとを蒸留水１００ｍｌに溶解して得た染色液）に浸漬し、対比染色を施した。
次いで、対比染色を施した組織標本を、含水率を段階的に低下させたエチルアルコール水容液群に順次浸漬した後、キシレンに浸漬して脱水処理を施した。
脱水処理を施したスライドガラス上に載置された組織標本に封入剤を滴下し、封入剤ごとカバーガラスによって封入して顕微鏡観察用組織標本を得た。
【００２６】
得られた顕微鏡観察用組織標本を顕微鏡観察したところ、図１に示す様に、癌細胞の細胞核のみに、黒色の顆粒状の陽性像１０，１０・・が観察できる。
しかも、黒色の陽性像１０，１０・・が観察された部位は、予め公知の方法で染色した組織標本を病理医が観察し、組織構造や細胞核の形態的変偏（異型性）等から癌と判断した部位と略一致していた。
【００２７】
実施例２及び比較例１
実施例２として、実施例１において、早期の大腸腺種（腺管腺種）が発生した大腸部分を検体に用いた他は、実施例１と同様にして顕微鏡観察用組織標本を作製した。
この顕微鏡観察用組織標本を顕微鏡観察した結果、図２に示す様に、癌細胞の細胞核が濃い褐色に染色された陽性腺管２０，２０・・と、褐色に染色されていない正常細胞或いは良性腺種細胞から成る陰性腺管２２，２２・・とが明瞭に染め分けられている。
尚、この検体は、予め公知の方法で染色した組織標本を病理医が顕微鏡観察したものの、その組織構造や細胞核の形態的変偏（異型性）等からは、明らかな癌細胞として判断されなかったものである。
【００２８】
一方、比較例１として、実施例２に用いた早期の大腸腺種（腺管腺種）が発生した大腸部分を検体に用い、特開平７−３０６２０２号公報に提案された方法に準拠して顕微鏡観察用組織標本を作製した。
すなわち、実施例１の（２）スライドガラス組織標本の作製と同一方法によって作製したスライドガラス組織標本を、過酸化水素が０．３％となるように調整したメチルアルコール溶液中に、室温で１５分間浸漬し、内在性ペルオキシダーゼの除去処理を行った後、リン酸緩衝食塩水（ＰＢＳ；ｐＨ７．４）で洗浄した。
更に、この組織標本上に、リン酸緩衝食塩水（ＰＢＳ；ｐＨ７．４）に溶解した２％スキムミルク（雪印社製）溶液を滴下し、３７℃で２０分間保持して抗血清のバックグランド吸着をブロックした後、組織標本上にブロッキング溶液（ニチレイ社製、ＨｉｓｏｆｉｎｅＰＯＲ）を滴下し、室温で５分間反応させた。
次いで、水洗した組織標本を、３０℃に保持されている２ＮのＨＣｌ溶液中に２０分間浸漬して水洗する。この処理によって、組織標本内のＤＮＡに酸性加水分解処理を施して単鎖化する。
【００２９】
この様に、癌細胞の細胞核内に存する損傷ＤＮＡが単鎖化されたはずの組織標本に、免疫抗原抗体反応を施すべく、抗シチジンポリクローナル抗体溶液［Ｂｉｏｇｅｎｅｉｓ社製の抗シチジンポリクローナル抗体をリン酸緩衝食塩水（ＰＢＳ；ｐＨ７．４）で１５００倍に希釈した溶液］を滴下し、４℃で一昼夜反応させた後、リン酸緩衝食塩水（ＰＢＳ；ｐＨ７．４）で洗浄した。
この組織標本に、ビチオン化されたヒツジ由来のウサギＩｇＧに対する抗体（抗ウサギＩｇＧ；ニチレイ社製、ＨｉｓｏｆｉｎｅＰＯＲ）溶液を滴下し、３０℃で４０分間反応させた後、リン酸緩衝食塩水（ＰＢＳ；ｐＨ７．４）で洗浄した。
更に、組織標本に、アビジン−ビチオン−ペルオキシダーゼ複合体（ニチレイ社製、Ｈｉｓｏｆｉｎｅ  ＰＯＲ）を滴下し、３０℃で４０分間反応させた後、リン酸緩衝食塩水（ＰＢＳ；ｐＨ７．４）で洗浄した
その後、ペルオキシダーゼによりコバルト−ＤＡＢ発色反応を行うべく、組織標本を、２０℃のＤＡＢ−コバルト溶液に１０分間浸漬し、細胞核を黒色に発色させてから水洗した。
このＤＡＢ−コバルト溶液は、１％塩化コバルト溶液１ｍｌを加えた、１０ｍＭ  Ｔｒｉｓ−ＨＣｌバッファー（ｐＨ７．４）１００ｍｌに、１０ｍｇのＤＡＢ（ジアノベンチジン）を溶解させた溶液であり、組織標本を浸漬してから数分後に３０％過酸化水素水１０μｌを加えた。
【００３０】
この組織標本に対比染色を施すべく、組織標本を、Ｋｅｒｎｅｃｈｔｒｏｔ染色液（Ｋｅｒｅｃｈｔｒｏｔ  ０．１ｇと硫酸アルミニウム５ｇとを蒸留水１００ｍｌに溶解して得た染色液）に浸漬して細胞質染色を施した。
対比染色を施した組織標本は、含水率を段階的に低下させたエチルアルコール水容液群に順次浸漬した後、キシレンに浸漬して脱水処理を施した後、滴下した封入剤ごとカバーガラスによって封入して顕微鏡観察用組織標本を作製した。
得られた顕微鏡観察組織標本を顕微鏡観察したところ、図３に示す如く、癌細胞が存在する陽性腺管と、正常細胞及び良性腺種細胞から成る陰性腺管とが不明瞭（偽陰性）であった。
【００３１】
実施例３及び比較例２
実施例３として、実施例１において、膀胱上皮を検体に用いた他は、実施例１と同様にして顕微鏡観察用組織標本を作製した。
この顕微鏡観察用組織標本を顕微鏡観察した結果、図４に示す様に、黒色の陽性癌細胞像１０，１０・・が観察された陽性部位Ａ，Ａの間に、陽性癌細胞像１０，１０・・が認められない正常細胞から成る陰性部分Ｂが明瞭に染め分けられている。
【００３２】
一方、比較例２として、比較例１において、実施例３と同一の検体を用いた他は、比較例１と同様にして顕微鏡観察用組織標本を作製した。
この顕微鏡観察用組織標本を顕微鏡観察した結果、図５に示す如く、本来、強陽性を示すべき癌細胞に極めて弱い陽性像しか認められなかった（偽陰性）。
【００３３】
実施例４及び比較例３
実施例４として、実施例１において、癌患者から採取して病理検査室に提出された尿中に剥離された膀胱上皮を検体に用い、スライドガラス標本の作製、ホルアミド溶液を用いた変性処理の前処理、及び細胞質染色を下記のようにした他は、実施例１と同様にして顕微鏡観察用細胞標本を作製した。
検体としての尿中の膀胱上皮を遠心分離機で分離したものを、スライドガラス上に塗布してスライドガラス細胞標本（以下、細胞標本と称することがある）とする。
得られた細胞標本を、ホルマリン溶液中に浸漬し、細胞標本中のＤＮＡ等を充分に固定すると共に、核酸検出を妨害する分解酵素を失活する。
ホルマリン溶液から取り出した標本は、リン酸緩衝食塩水（ＰＢＳ）に浸漬して洗浄した後、過酸化水素が０．３％となるように調整したメチルアルコール溶液中に、室温で１５分間浸漬して、内在性ペルオキシダーゼの除去処理を施し、リン酸緩衝食塩水（ＰＢＳ）に浸漬して洗浄する。
次いで、細胞標本を、実施例１の組織標本と同様に、ホルムアミドを含有する溶液中に浸漬し、スライドガラス細胞標本中の癌細胞の細胞核内に存する損傷を有する損傷ＤＮＡを選択的に単鎖ＤＮＡに変性する変性処理を施した後、急速冷却を施す。
更に、変性処理を施した細胞標本には、組織標本と同様に、ハイブリダイゼーション溶液を滴下した後、マイクロ波で加熱処理を施す。
かかるマイクロ波による加熱処理では、細胞標本に滴下したハイブリダイゼーション溶液の液滴をパラフィルムで覆った後、細胞標本を電子レンジのターンテーブル上に載置し、マイクロ波を５分間ほど照射する。かかるマイクロ波は、出力２００Ｗで３秒間隔で間欠的に照射した。マイクロ波を５分間ほど照射すると、電子レンジの細胞標本を載置した空間（照射庫）内の温度は約３０℃に昇温されていた。
【００３４】
滴下されたハイブリダイゼーション溶液の液滴をマイクロ波で加熱処理した細胞標本は、実施例１と同様にして、ハイブリダイゼーション反応及び発色処理を施した後、オレンジＧ染色液（武藤化学社製）に３分間浸漬してからＥＡ５０（武藤化学社製）の染色液に５分間浸漬し、対比染色を施した。
次いで、実施例１と同様に、細胞標本に脱水処理を施した後、滴下した封入剤ごとカバーガラスによって封入して顕微鏡観察用細胞標本を得た。
得られた顕微鏡観察用細胞標本を顕微鏡観察したところ、図６に示す様に、黒色の陽性癌細胞１０，１０・・が明瞭に認められた。
尚、同一細胞標本には、図７に示す様に、黒色の陽性像が認められない陰性正常細胞も認められた。
【００３５】
比較例３
癌患者から採取して病理検査室に提出された胸水中に剥離された細胞を検体に用い、スライドガラス標本の作製、公知のパパニコロゥ染色、カバーガラスの剥離及び脱色を下記のように実施した他は、実施例４と同様にして顕微鏡観察用細胞標本を作製した。
検体としての胸水中に剥離された細胞を遠心分離器で分離したものを、スライドガラス上に塗布してスライドガラス細胞標本（以下、単に細胞標本と称することがある）にパパニコロゥ染色を施した。
▲１▼核染色
細胞標本を、９５％、８０％、５０％のエチルアルコール水溶液中に順次浸漬した後、流水で洗浄する。
この細胞標本をギルヘマトキシリン染色液（武藤化学社製）に室温で３分間浸漬して核染色を施した後、流水で洗浄してから７０％エチルアルコール水溶液中に浸漬し、更に０．３５％塩酸を含む８０％エチルアルコール溶液に浸漬する。
▲２▼細胞質染色Ｉ
細胞標本を水洗し塩酸を除き、８０％エチルアルコール水溶液、１％のアンモニアを含む８０％エチルアルコール水溶液、１００％エチルアルコールに順次浸漬し、実施例４で用いたものと同様なオレンジＧの染色液に３分間室温で浸漬する。続いて、１００％エチルアルコールに浸漬する。
▲３▼細胞質染色ＩＩ
続いて、実施例４で用いたものと同様なＥＡ５０の染色液に、細胞標本を５分間浸漬する。
▲４▼洗浄封入
ＥＡ５０染色後、エチルアルコールにて洗浄し、更にエチルアルコールに浸漬して脱水し、キシレンに浸漬した後、滴下した封入剤ごとカバーガラスによって封入して顕微鏡用細胞標本を作製した。
得られた顕微鏡観察用細胞標本を顕微鏡観察したところ、図８に示す様に、活動性中皮細胞、リンパ球、単球様細胞等の正常細胞（矢印Ａ）にまじって、小型、大小不同、Ｎ／Ｃ比（核／細胞質比）の大きいリンパ腫細胞（矢印Ｂ）が孤立、散在性に認められる。それらのリンパ腫細胞では、クロマチンの増量と不均等分布が見られる。
【００３６】
実施例５
比較例３でパパニコォゥ染色した細胞標本について顕微鏡観察した後、次の処理を施す。
先ず、細胞標本を、５０〜６０℃に加温したキシレン中に２日間程度保持し、カバーガラスを剥離させて取り除いた後、露出した細胞標本を、キシレンで洗浄して封入剤を除去する。
次いで、封入剤を除去した細胞標本を、エチルアルコールに浸漬してから７０％のエチルアルコール水溶液に浸漬して細胞質染色を退色し、０．３５％塩酸を含むエチルアルコールに４５〜６０分浸漬し、細胞核の染色剤を除去する。細胞核の染色剤を除去した細胞標本を、直ちに水洗して塩酸を洗浄する。
更に、細胞標本を、７０％のエチルアルコール水溶液に浸漬し、１００％エチルアルコールに浸漬し脱水した後、エチルアルコールとポリエチレングリコールとの混合液を噴霧して簡易的な固定処理を施す。
簡易的な固定処理を施した細胞標本を、実施例４と同様に処理して、ホルムアミドを含有する溶液を用いて、細胞標本中の癌細胞の細胞核内に存する損傷を有する損傷ＤＮＡを選択的に単鎖ＤＮＡに変性する変性処理を施した後、ハイブリダイゼーション溶液が滴下された細胞標本にマイクロ波で加熱処理を施す。
更に、マイクロ波で加熱処理を施した細胞標本には、実施例４と同様にして、ハイブリダイゼーション反応及び発色処理を施した後、対比染色を施して顕微鏡観察用細胞標本を作製した。
得られた顕微鏡観察用細胞標本を顕微鏡観察したところ、図９に示す様に、黒色に染まった陽性の悪性リンパ腫細胞（矢印Ｂ）が認められる。一方、図９において、矢印Ａの細胞は、中皮細胞、リンパ球、単球様細胞とその他の炎症細胞であって、いずれも正常細胞である。
【００３７】
【発明の効果】
本発明に係る検出方法によれば、偽陰性や偽陽性の発生を可及的に少なくでき、且つ組織標本及び細胞標本中の癌細胞の細胞核内に存する損傷ＤＮＡを検査できる。このため、本発明に係る検出方法は、癌の早期発見や組織の癌化範囲の特定に有効に用いることができる。
【図面の簡単な説明】
【図１】実施例１で作製した顕微鏡観察用組織標本の顕微鏡写真である。
【図２】実施例２で作製した顕微鏡観察用組織標本の顕微鏡写真である。
【図３】比較例１で作製した顕微鏡観察用組織標本の顕微鏡写真である。
【図４】実施例３で作製した顕微鏡観察用組織標本の顕微鏡写真である。
【図５】比較例２で作製した顕微鏡観察用組織標本の顕微鏡写真である。
【図６】実施例４で作製した顕微鏡観察用細胞標本の顕微鏡写真である。
【図７】実施例４で作製した顕微鏡観察用細胞標本のうち、図６に示す顕微鏡写真と別視野における顕微鏡写真である。
【図８】比較例３で作製した顕微鏡観察用細胞標本の顕微鏡写真である。
【図９】実施例５で作製した顕微鏡観察用細胞標本の顕微鏡写真である。
【符号の説明】
１０  陽性像
２０  陽性腺管
２２  陰性腺管
Ａ        陽性部位
Ｂ    陰性部位
【図１】
2004350585.tif 000002
【図２】
2004350585.tif 000003
【図３】
2004350585.tif 000004
【図４】
2004350585.tif 000005
【図５】
2004350585.tif 000006
【図６】
2004350585.tif 000007
【図７】
2004350585.tif 000008
【図８】
2004350585.tif 000009
【図９】
2004350585.tif 000010